(57)【要約】【課題】  安価で、持ち運びが簡単な、使い捨ての犬用レインコートを提供する。【解決手段】  前面、背面１１、１２と左右の側面１３、１４および把持部１０ａ、１０ｂとからなるフィルム部材からなり、左右の側面１３、１４が前面、背面１１、１２の内側に折り込まれ、底部１５が溶着された袋を利用して、犬用レインコートを作成する。底部１５に犬の頭部４１を通す開口２１を形成し、前面の底部近傍に、犬の前脚４２ａ，４２ｂを通す一対の開口３２ａ、３２ｂを形成し、把持部１０ａ、１０ｂには、犬の後脚４３ａ，４３ｂを通すための一対の開口１６ａ、１６ｂを形成し、前面、背面の開口端側に、一対の突出部１７ａ、１７ｂを設け、突出部１７ａをその付け根部分から切断し、切り込み部１８および切断片１９を形成し、その切断片１９を上下反転して突出部１７ｂに接着する。【選択図】        図２
0003120760.tif 000002
【実用新案登録請求の範囲】
【請求項１】
前面、背面、左右の側面、把持部および前記前面、背面の開口端側にそれぞれ形成された第１の突出部とからなるフィルム部材からなり、前記左右の側面が前記前面、背面の内側にそれぞれ折り込まれ、底部が溶着されて袋状とされた犬用レインコートであって、
前記底部に形成され、犬の頭部を通す開口と、
前記前面の底部近傍に形成され、犬の前脚を通す一対の開口と、
前記把持部にそれぞれ形成され、犬の後脚を通すための開口と、
前記前面の第１の突出部を付け根部分から切断し、その切断片を上下反転して背面に接着した第２の突出部と
を備えたことを特徴とする犬用レインコート。
【請求項２】
前記の犬の前脚を通す一対の開口は、前記前面と前記側面との境界部に形成されることを特徴とする請求項１に記載の犬用レインコート。
【請求項３】
前記の犬の前脚を通す一対の開口は、前記側面に形成されることを特徴とする請求項１に記載の犬用レインコート。
【請求項４】
前面、背面、左右の側面および帯部とからなるフィルム部材からなり、前記左右の側面が前記前面、背面の内側にそれぞれ折り込まれ、底部が溶着されて袋状とされた犬用レインコートであって、
前記底部に形成され、犬の頭部を通す開口と、
前記前面の底部近傍に形成され、犬の前脚を通す一対の開口と、
前記帯部にそれぞれ形成され、犬の後脚を通すための開口と、
前記前面の開口端側に設けられた切り込み部と、
前記背面の開口端側に設けられた突出部と
を備えたことを特徴とする犬用レインコート。
【請求項５】
前記の犬の前脚を通す一対の開口は、前記前面と前記側面との境界部に形成されることを特徴とする請求項４に記載の犬用レインコート。
【請求項６】
前記の犬の前脚を通す一対の開口は、前記側面に形成されることを特徴とする請求項４に記載の犬用レインコート。
【考案の詳細な説明】
【技術分野】
【０００１】
本考案は、使い捨ての犬用レインコートに関する。
【背景技術】
【０００２】
近年の住宅事情を反映して、犬をマンション等の室内で飼う人が多くなってきている。また、犬を美容院に連れて行ったり、犬に着物を着せたりして、犬を溺愛する人が多くなってきている。犬を室内で飼うような場合、雨の日に犬を散歩に連れていって毛並みが濡れてしまうと、部屋が汚れてしまう。そこで、雨の日に犬を散歩に連れて行けるように、例えば、特許文献１に示されるように、犬用のレインコートが提案されている。
【特許文献１】特開２００１−５７８２４号公報
【考案の開示】
【考案が解決しようとする課題】
【０００３】
しかしながら、特許文献１に示されるような犬用レインコートは、機構が複雑で、高価になる。また、突然の雨に備えて、持ち運びが簡単で、簡単に犬に着せられるレインコートが要望されている。特許文献１に示されるような従来の犬用レインコートでは、大きさが嵩張り、重量があり、持ち運びが難しい。
【０００４】
本考案は、上述の課題を鑑み、安価で、持ち運びが簡単な使い捨ての犬用レインコートを提供することを目的とする。
【課題を解決するための手段】
【０００５】
上述の課題を解決するために、第１の考案に係る犬用レインコートは、前面、背面、左右の側面、把持部および前記前面、背面の開口端側にそれぞれ形成された第１の突出部とからなるフィルム部材からなり、前記左右の側面が前記前面、背面の内側にそれぞれ折り込まれ、底部が溶着されて袋状とされた犬用レインコートであって、前記底部に形成され、犬の頭部を通す開口と、前記前面の底部近傍に形成され、犬の前脚を通す一対の開口と、前記把持部にそれぞれ形成され、犬の後脚を通すための開口と、前記前面の第１の突出部を付け根部分から切断し、その切断片を上下反転して背面に接着した第２の突出部とを備えたことを特徴とする。
【０００６】
第２の考案に係る犬用レインコートは、前面の底部近傍に形成され、犬の前脚を通す一対の開口は、前記前面と前記側面との境界部に形成されることを特徴とする。
【０００７】
第３の考案に係る犬用レインコートは、前記前面の底部近傍に形成され、犬の前脚を通す一対の開口は、前記側面に形成されることを特徴とする。
【０００８】
第４の考案に係る犬用レインコートは、前面、背面、左右の側面および帯部とからなるフィルム部材からなり、前記左右の側面が前記前面、背面の内側にそれぞれ折り込まれ、底部が溶着されて袋状とされた犬用レインコートであって、前記底部に形成され、犬の頭部を通す開口と、前記前面の底部近傍に形成され、犬の前脚を通す一対の開口と、前記帯部にそれぞれ形成され、犬の後脚を通すための開口と、前記前面の開口端側に設けられた切り込み部と、前記背面の開口端側に設けられた突出部とを備えたことを特徴とする。
【０００９】
第５の考案に係る犬用レインコートは、前記前面の底部近傍に形成され、犬の前脚を通す一対の開口は、前記前面と前記側面との境界部に形成されることを特徴とする。
【００１０】
第６の考案に係る犬用レインコートは、前記前面の底部近傍に形成され、犬の前脚を通す一対の開口は、前記側面に形成されることを特徴とする。
【考案の効果】
【００１１】
第１の考案に係る犬用レインコートによれば、前面、背面、左右の側面、把持部および前記前面、背面の開口端側にそれぞれ形成された第１の突出部とからなるフィルム部材からなり、左右の側面が前面、背面の内側にそれぞれ折り込まれ、底部が溶着されて袋状とされた犬用レインコートであって、底部に犬の頭部を通す開口が形成され、前面の底部近傍に、犬の前脚を通す一対の開口が形成され、把持部にそれぞれ犬の後脚を通すための開口が形成され、前記前面の第１の突出部を付け根部分から切断し、その切断片を上下反転して背面に接着した第２の突出部が設けられている。これにより、安価で、小さく折り畳むことができ、携帯に便利な、使い捨ての犬用レインコートが実現できる。また、袋としては、レジ袋を利用することができ、非常に安価に、犬用レインコートが作成できる。
【００１２】
第２の考案に係る犬用レインコートによれば、第１の考案において、犬の前脚を通す一対の開口は、前面と側面との境界部に形成されるので、犬は前足を犬用レインコートから余裕を持って外に出すことができる。
【００１３】
第３の考案に係る犬用レインコートによれば、第１の考案において、犬の前脚を通す一対の開口は、袋の側面に形成されるので、犬は前足を犬用レインコートから余裕を持って外に出すことができる。
【００１４】
また、第４の考案に係る犬用レインコートによれば、前面、背面、左右の側面および帯部とからなるフィルム部材からなり、左右の側面が前面、背面の内側にそれぞれ折り込まれ、底部が溶着されて袋状とされた犬用レインコートであって、底部に犬の頭部を通す開口が形成され、前面の底部近傍に、犬の前脚を通す一対の開口が形成され、帯部にそれぞれ犬の後脚を通すための開口が形成され、前面の開口端側に、切り込み部が設けられ、背面の開口端側に、突出部が設けられるようにしている。これにより、安価で、小さく折り畳むことができ、携帯に便利な、使い捨ての犬用レインコートが実現できる。
【００１５】
第５の考案に係る犬用レインコートによれば、第４の考案において、犬の前脚を通す一対の開口は、前面と側面との境界部に形成されるので、犬は前足を犬用レインコートから余裕を持って外に出すことができる。
【００１６】
第６の考案に係る犬用レインコートによれば、第４の考案において、犬の前脚を通す一対の開口は、袋の側面に形成されるので、犬は前足を犬用レインコートから余裕を持って外に出すことができる。
【考案を実施するための最良の形態】
【００１７】
第１実施形態．
以下、本考案の実施の形態について図面を参照しながら説明する。図１は、本考案の第１実施形態を作成するための袋を示すものである。袋１としては、スーパーマーケットのレジ袋として販売されているものを用いることができる。
【００１８】
図１において、袋１は、前面１１、背面１２、左右の側面１３及び１４および把持部１０ａ、１０ｂを有する高密度ポリエチレンの極薄強化フィルムからなる。左右の側面１３及び１４は、前面１１、背面１２内にそれぞれ折り込まれ、底部１５は、融着されて、袋状となっている。側面１１及び１２の開口端側（図における上側）には、突出部１７ａ及び１７ｂがそれぞれ設けられる。把持部１０ａ、１０ｂには、対応する開口１６ａ及び１６ｂが形成される。
【００１９】
このような袋１から、犬用レインコートを作成する場合には、図１に、おける底部１５の切断マーク２１（一点鎖線で示す）に沿って切断して、図２に示すような開口３１を形成し、また、図１における前面１１の切断マーク２２ａ及び２２ｂに沿って切断して、図２に示すような一対の開口３２ａ及び３２ｂを形成する。また、図１における切断マーク２３に沿って、突出部１７ａをその付け根の部分から切り落とし、図２に示す切り込み部１８および切断片１９を形成し、その切断片１９を上下反転して他方の突出部１７ｂに接着する。このようにして、図２に示すように、袋１から犬用レインコート２が作成される。
【００２０】
このような犬用レインコート２を犬に着用する場合には、図３に示すように、犬４０の頭部４１を開口３１に通し、犬４０の前脚４２ａ，４２ｂをそれぞれ開口３２ａ及び３２ｂに通し、犬４０の後脚４３ａ，４３ｂをそれぞれ開口１６ａ及び１６ｂに通す。このとき、犬４０の後脚４３の股間部は、切り込み部１８に対応し犬の排便が容易になる。犬の臀部４４の部分は、切断片１９の部分に対応するので犬の臀部４４は雨に濡れることがない。また、犬の尻尾４５の部分は、切断片１９の部分からはみ出すので雨に濡れる可能性がある。
【００２１】
第２実施形態．
図４は、本考案の第２実施形態を示すものである。本第２の実施形態においては、犬４０の前脚４２ａ，４２ｂを通すために、図４に示すように一対の開口３２ａ及び３２ｂを袋１の前面１１と各側面１３，１４の境界部分に形成している。その他の点は、第１の実施形態と同じであるので詳細な説明は省略する。
【００２２】
このような犬用レインコート２を犬に着用する場合には、図５に示すように、犬４０の頭部４１を開口３１に通し、犬４０の前脚４２ａ，４２ｂをそれぞれ開口３２ａ及び３２ｂに通し、犬４０の後脚４３ａ，４３ｂをそれぞれ開口１６ａ及び１６ｂに通す。この第２の実施形態によれば、犬は前足を犬用レインコート２から余裕を持って外に出すことができる。
【００２３】
第３実施形態．
図６は、本考案の第３実施形態を示すものである。本第３の実施形態においては、犬４０の前脚４２ａ，４２ｂを通すために、図６に示すように一対の開口３２ａ及び３２ｂを袋１の各側面１３，１４に形成している。なお、開口３２ａは、視覚的には前面１１の下に位置し表面からは見えないので、点線で示されている。その他の点は、第１の実施形態と同じであるので詳細な説明は省略する。
【００２４】
このような犬用レインコート２を犬に着用する場合には、図７に示すように、犬４０の頭部４１を開口３１に通し、犬４０の前脚４２ａ，４２ｂをそれぞれ開口３２ａ及び３２ｂに通し、犬４０の後脚４３ａ，４３ｂをそれぞれ開口１６ａ及び１６ｂに通す。この第３の実施形態によれば、犬は前足を犬用レインコート２から余裕を持って外に出すことができる。
【００２５】
第４実施形態．
図８は、本考案の第４実施形態を示すものである。図８において、犬用レインコート５２は、前面６１、背面６２、左右の側面６３及び６４および帯部６０ａ、６０ｂとからなる高密度ポリエチレンの極薄強化フィルムからなる。左右の側面６３及び６４は、前面６１、背面６２内にそれぞれ折り込まれ、底部６５は、融着されて、袋状となっている。
【００２６】
底部６５には、犬の頭部４１を通すための開口８１が形成される。前面６１には、底部６５の近傍に、犬の前脚４２ａ，４２ｂをそれぞれ通すための開口８２ａ及び８２ｂが形成される。前面６１の開口端側（図における上側）には、切り込み部６８が設けられる。また、背面６２の開口端側には、突出部６７が設けられる。帯部６０ａ、６０ｂには、それぞれ対応する開口６６ａ及び６６ｂが形成される。
【００２７】
本発明の第４実施形態の犬用レインコート５２を犬に着用させる場合には、図９に示すように、犬４０の頭部４１を底部６５の開口８１に通し、犬４０の前脚４２ａ，４２ｂをそれぞれ開口８２ａ及び８２ｂに通し、犬４０の後脚４３ａ，４３ｂをそれぞれ開口６６ａ及び６６ｂに通す。このとき、犬４０の後脚４３の股間部は、切り込み部６８に対応し犬の排便が容易になる。犬の臀部４４の部分は、突出部６７の部分に対応するので犬の臀部４４は雨に濡れることがない。また、犬の尻尾４５の部分は、突出部６７の部分からはみ出すので雨に濡れる可能性がある。
【００２８】
第５実施形態．
図１０は、本考案の第５実施形態を示すものである。本第５の実施形態においては、犬４０の前脚４２ａ，４２ｂを通すために、図１０に示すように一対の開口８２ａ及び８２ｂを犬用レインコートの前面６１と側面６３，６４の境界部に形成している。その他の点は、第４の実施形態と同じであるので詳細な説明は省略する。
【００２９】
このような犬用レインコート２を犬に着用する場合には、図１１に示すように、犬４０の頭部４１を開口８１に通し、犬４０の前脚４２ａ，４２ｂをそれぞれ開口８２ａ及び８２ｂに通し、犬４０の後脚４３ａ，４３ｂをそれぞれ開口６６ａ及び６６ｂに通す。この第５の実施形態によれば、犬は前足を犬用レインコート５２から余裕を持って外に出すことができる。
【００３０】
第６実施形態．
図１２は、本考案の第６実施形態を示すものである。本第６の実施形態においては、犬４０の前脚４２ａ，４２ｂを通すために、図１２に示すように一対の開口８２ａ及び８２ｂを犬用レインコートの各側面６３，６４に形成している。なお、開口８２ａは、実際には前面６１の下に位置し表面からは見えないので、点線で示されている。その他の点は、第４の実施形態と同じであるので詳細な説明は省略する。
【００３１】
このような犬用レインコート２を犬に着用する場合には、図１３に示すように、犬４０の頭部４１を開口８１に通し、犬４０の前脚４２ａ，４２ｂをそれぞれ開口８２ａ及び８２ｂに通し、犬４０の後脚４３ａ，４３ｂをそれぞれ開口６６ａ及び６６ｂに通す。この第６の実施形態によれば、犬は前足を犬用レインコート５２から余裕を持って外に出すことができる。
【００３２】
本考案は、上述した実施形態に限定されるものではなく、この考案の要旨を逸脱しない範囲内で様々な変形や応用が可能である。
【産業上の利用可能性】
【００３３】
本考案は、携帯に便利な使い捨ての犬用レインコートとして利用できる。
【図面の簡単な説明】
【００３４】
【図１】本考案の第１実施形態の犬用レインコートを作成するための袋の斜視図である。
【図２】本考案の第１実施形態の犬用レインコートの構成を示す斜視図である。
【図３】本考案の第１実施形態の犬用レインコートを犬に着せる場合の説明に用いる斜視図である。
【図４】本考案の第２実施形態の犬用レインコートの構成を示す斜視図である。
【図５】本考案の第２実施形態の犬用レインコートを犬に着せる場合の説明に用いる斜視図である。
【００３５】
【図６】本考案の第３実施形態の犬用レインコートの構成を示す斜視図である。
【図７】本考案の第３実施形態の犬用レインコートを犬に着せる場合の説明に用いる斜視図である。
【図８】本考案の第４実施形態の犬用レインコートの構成を示す斜視図である。
【図９】本考案の第４実施形態の犬用レインコートを犬に着せる場合の説明に用いる斜視図である。
【図１０】本考案の第５実施形態の犬用レインコートの構成を示す斜視図である。
【図１１】本考案の第５実施形態の犬用レインコートを犬に着せる場合の説明に用いる斜視図である。
【図１２】本考案の第６実施形態の犬用レインコートの構成を示す斜視図である。
【図１３】本考案の第６実施形態の犬用レインコートを犬に着せる場合の説明に用いる斜視図である。
【符号の説明】
【００３６】
１  袋
２  犬用レインコート
１０ａ，１０ｂ  把持部
１１  前面
１２  背面
１３  左側面
１４  右側面
１５  底部
１６ａ，１６ｂ  開口
１７ａ，１７ｂ  突出部
１８  切り込み部
１９  切断片
２１  切断マーク
２２ａ，２２ｂ  切断マーク
２３  切断マーク
３１  開口
３２ａ，３２ｂ  開口
４１  犬の頭部
４２ａ，４２ｂ  犬の前足
４３ａ，４３ｂ  犬の後脚足
４４  犬の臀部
４５  犬の尻尾
５２  犬用レインコート
６０ａ、６０ｂ  帯部
６１  前面
６２  背面
６３  左側面
６４  右側面
６５  底部
６６ａ，６６ｂ  開口
６７  突出部
６８  切り込み部
８１  開口
８２ａ，８２ｂ  開口
【図１】
0003120760.tif 000003
【図２】
0003120760.tif 000004
【図３】
0003120760.tif 000005
【図４】
0003120760.tif 000006
【図５】
0003120760.tif 000007
【図６】
0003120760.tif 000008
【図７】
0003120760.tif 000009
【図８】
0003120760.tif 000010
【図９】
0003120760.tif 000011
【図１０】
0003120760.tif 000012
【図１１】
0003120760.tif 000013
【図１２】
0003120760.tif 000014
【図１３】
0003120760.tif 000015